(57)【要約】【課題】センターブーム及びサイドブームを有する防除噴霧装置において、サイドブームの収納時に、前輪から飛散する泥が噴霧ノズル１９…に付着することを防止する。【解決手段】乗用管理機の車体端部に、センターブーム及び左右サイドブーム１７，１７を有する噴霧装置を昇降自在に設ける。前記サイドブーム１７を車体左右両側方に沿うように収納自在に構成する。サイドブーム１７，１７に、同ブームの収納姿勢において少なくとも車輪３，３上方に位置する噴霧ノズル１９…の下方を覆うカバー部材２９，２９を備える。また前記カバー部材２９は、サイドブーム１７に対し、前記噴霧ノズル１９…の下方を覆う状態と、前記サイドブーム１７を作業姿勢としたときに同ノズル１９…の上位で開いた状態とに切替可能に支持する。【選択図】                図１
2004337123.tif 000002
【特許請求の範囲】
【請求項１】
車体の端部に、センターブーム（１６）及び左右サイドブーム（１７，１７）を有する噴霧装置を昇降自在に設け、前記サイドブーム（１７，１７）を車体左右両側方に直線状に伸ばした作業姿勢と、車体左右両側方に沿うように折り畳んだ収納姿勢とに切替可能に構成した乗用管理機において、
前記サイドブーム（１７，１７）には、同ブーム（１７，１７）の収納姿勢において少なくとも車輪（３，３）上方に位置する噴霧ノズル（１９，１９…）の下方を覆うカバー部材（２９，２９）を備えたことを特徴とする乗用管理機における噴霧装置の防泥装置。
【請求項２】
前記カバー部材（２９，２９）は、サイドブーム（１７，１７）に対し、前記噴霧ノズル（１９，１９…）の下方を覆う状態と、前記サイドブーム（１７，１７）を作業姿勢としたときに同ノズル（１９．１９…）の上位で開いた状態とに切替可能に支持したことを特徴とする請求項１に記載の乗用管理機における噴霧装置の防泥装置。
【発明の詳細な説明】
【０００１】
【発明の属する技術分野】
この発明は、農作業等を行う乗用管理機の構成に関し、特にセンターブーム及び左右サイドブームを有する噴霧装置の防泥装置に関するものである。
【０００２】
【従来技術】
従来、車体の端部に、センターブーム及び左右サイドブームを有する噴霧装置を昇降自在に設け、前記サイドブームを車体左右両側方に直線状に伸ばした作業姿勢と、車体左右両側方に沿うように折り畳んだ収納姿勢とに切替可能に構成した乗用管理機が知られている。
【０００３】
そして、このような乗用管理機では、特開平１０−２１８０３７号公報に示されるように、作業時の泥の付着を防止するべく前後輪の幅内に前後方向に長い一対の支持棒を配置し、この左右の支持棒間にシートを取り付けたものが知られている。
【０００４】
【特許文献１】
特開平１０−２１８０３７号公報（２〜３頁、２図、３図）
【０００５】
【発明が解決しようとする課題】
前記乗用管理機では、その機体前部に噴霧ノズルを有するセンターブームと左右サイドブームからなる噴霧装置を備えるものであるが、散布作業後、左右サイドブームを機体の左右両側に収納した状態で圃場内を走行すると、左右の前輪から飛散した泥が左右サイドブームの噴霧ノズルに付着し、ノズル孔に詰まってしまい次の噴霧作業をする時には同ノズルの泥の除去作業をしないと散布作業ができないという不具合があった。そこで、この発明はこのような不具合を解消しようとするものである。
【０００６】
【問題を解決するための手段】
この発明は、前記課題に鑑みて乗用管理機における噴霧装置を以下のように構成した。
即ち、請求項１記載の発明は、車体の端部に、センターブーム（１６）及び左右サイドブーム（１７，１７）を有する噴霧装置を昇降自在に設け、前記サイドブーム（１７，１７）を車体左右両側方に直線状に伸ばした作業姿勢と、車体左右両側方に沿うように折り畳んだ収納姿勢とに切替可能に構成した乗用管理機において、
前記サイドブーム（１７，１７）には、同ブーム（１７，１７）の収納姿勢において少なくとも車輪（３，３）上方に位置する噴霧ノズル（１９，１９…）の下方を覆うカバー部材（２９，２９）を備えたことを特徴とする乗用管理機における噴霧装置の防泥装置とした。
（請求項１の作用）
以上のように構成した請求項１の発明では、サイドブーム（１７，１７）を収納姿勢とすると、カバー部材（２９，２９）により少なくとも車輪（３，３）上方に位置する噴霧ノズル（１９，１９…）の下方を覆う。
【０００７】
また請求項２の発明では、前記カバー部材（２９，２９）は、サイドブーム（１７，１７）に対し、前記噴霧ノズル（１９，１９…）の下方を覆う状態と、前記サイドブーム（１７，１７）を作業姿勢としたときに同ノズル（１９．１９…）の上位で機体の前方または後方に開いた状態とに切替可能に支持したことを特徴とする請求項１に記載の乗用管理機における噴霧装置の防泥装置とした。
（請求項２の作用）
前記乗用管理機では、請求項１の作用に加え、サイドブーム（１７，１７）を作業姿勢とすると、カバー部材（２９，２９）で噴霧ノズル（１９，１９…）の上位を覆う。
【０００８】
【発明の効果】
これにより、請求項１の発明では、サイドブーム（１７，１７）を収納姿勢としたときに、複数の噴霧ノズル（１９，１９…）の下方をカバー部材（２９，２９）により覆うので、左右の車輪（３，３）が跳ね上げた泥が噴霧ノズル（１９，１９…）に付着するのを防止し、前記のように作業再開時に泥除去作業の手間を必要とせず、能率的に防除噴霧作業をすることができる。
【０００９】
また請求項２の発明では、請求項１の効果に加え、前記カバー部材（２９，２９）が噴霧作業時に散布液の浮き上がりを防止するものであるから、散布効率も高めることができる。
【００１０】
【発明の実施の形態】
以下、この発明の実施の形態を図面に基づいて説明する。
最初に、図２乃至図５により乗用管理機１の構成について説明する。
乗用管理機１は、図２に示すように、車体の前後左右に等径の車輪となる左右前輪３，３及び後輪４，４が設けられていて、ボンネット７の前方には、リンク機構を介して防除用の噴霧装置５を着脱自在且つ昇降自在に取り付けている。左右の前輪３，３間の上方にはエンジン（図示省略）が搭載されていて、エンジン（図示省略）の回りを前記ボンネット７で被覆している。左右の後輪４，４間の上方には操縦席８が設けられていて、操縦席８の前方にステアリングハンドル９が設けられている。そして、ステアリングハンドル９を左右に操舵すると、左右の前後輪３，３、４，４が同時に操舵される四輪操舵の構成である。またボンネット７後部のステアリングハンドル９下方には、速度計等を有する計器盤が設けられている。
【００１１】
また、車体上方の操縦席８回りには薬液タンク１１が着脱自在に取り付けられている。車体２後部の受け台１２には、薬液噴霧用の防除ポンプ１３が設けられていて、この防除ポンプ１３は外部動力取出用のＰＴＯ軸（図示省略）を介して駆動され、同ポンプ１３から吐出した薬液は夫れ夫れ独立した配管（図示省略）を経由して前記噴霧装置５を構成するセンターブーム１６及び左右サイドブーム１７，１７に別個に圧送され、薬液が噴霧ノズル１９，…から散布される構成である。
【００１２】
車体前部のボンネット７の左右両側方には、平面視門形の前フレーム１８を設け、この前フレーム１８には、図２と図３に示すように、上下リンクアーム２０，２０を前方に突出するように略平行に設けていて、上下リンクアーム２０，２０は、昇降用アクチュエータとなる電動シリンダ２６の駆動により上下回動操作される。また上下リンクアーム２０，２０の前端には、前ヒッチ２２がピン連結されていて、この前ヒッチ２２に、センターブーム１６を左右方向に沿わせて取り付け、前記の通り同ブーム１６に取り付けた複数の噴霧ノズル１９，…から薬液を噴霧する構成となっている。
【００１３】
またセンターブーム１６の左右両端部には、サイドブーム１７，１７を縱ピン及び横ピンにより枢支連結し、このサイドブーム１７，１７は、サイドブーム拡開用アクチュエータとなる電動シリンダ２６，２６により左右両側方に直線状に伸ばした作業姿勢と、９０度折り畳まれて機体の左右両側部に沿う収納姿勢とに、回動する構成となっている。
【００１４】
ここで前記図３に基づき乗用管理機１の前輪３の支持構成について説明する。
前記前フレーム１８の後部下方には、左右方向に配するフロントアクスルケース３５の左右中間部をセンターピボットにより揺動自在に支持し、フロントアクスルケース３５の左右両端部には、左右前輪ファイナルケース３８，３８を縦軸回りに回動できるように取り付け、同ケース３８，３８の下端部に前輪３，３を夫れ夫れ支架している。そして、ステアリングハンドル９を左右に回動すると、ロッド部材を介して左右前輪ファイナルケース３８，３８が縦軸回りに回動し、左右の前輪３，３が操舵されるように構成されている。
【００１５】
また前記前フレーム１８には、前記フロントアクスルケース３５の左右両側部上方位置に、左右に突設し且つ正面視Ｌ型のブラケット４１，４１を取り付け、この左右ブラケット４１，４１の突設部下側に揺動角度調節用の調節ボルト４２，４２を夫れ夫れ取り付けている。尚、調節ボルト４２とフロントアクスルケース３５の当接部にゴム等の弾性材を介装してもよい。
【００１６】
しかして、調節ボルト４２，４２を伸縮調節し、調節ボルト４２，４２の先端とフロントアクスルケース３５の上端面とのすき間を調節することにより、フロントアクスルケース３５の上下揺動角度を調節規制することができる。従って、乗用管理機１の作業、あるいは作業場の状態に応じてフロントアクスルケース３５の上下揺動角度を適宜調節することができ、作業性能を十分発揮することができる。
【００１７】
尚、通常の耕耘作業ではフロントアクスルケース３５の上下揺動角度を６〜８度に設定しているが、センターブーム１６及び長いサイドブーム１７、１７を用いて防除噴霧作業をする場合には、揺動角度を３度程度に規制することにより、サイドブーム１７、１７の上下方向の揺れを低減し散布精度を向上させることができる。
【００１８】
次に、サイドブーム１７，１７の噴霧ノズル１９，…に対する防泥装置について説明する。
前記サイドブーム１７、１７は収納姿勢では、図２の実線に示すように、車体２に対して平面視で略９０度折り畳まれて機体の左右両側面に沿う状態で、且つ、後側が上り傾斜姿勢で、サイドブーム受け２８，２８に支持されて収納されている。
【００１９】
そして、前記収納姿勢にあるサイドブーム１７、１７における左右前輪３，３の上方に位置する複数の噴霧ノズル１９…の側方位置には、プレート状の泥付着防止カバー２９，２９をブーム外側壁の回動支軸Ｐ１に枢支する構成となっている。この泥付着防止カバー２９，２９は、サイドブーム１７，１７の左右外側を覆う横側面部と、噴霧ノズル１９…側に屈曲し且つ同ノズル１９の下面を覆う下側面部を有する構成となっている。そして、前記泥付着防止カバー２９，２９は前記回動支点Ｐ１回りにスプリングＳを巻装し、非噴霧作業時には同カバー２９の横側面部をノズル側に付勢する共に、噴霧作業時には上方に回動した状態として上部の係止ピン３０で係止して、ノズル１９，１９の上方を覆う構成としている。
【００２０】
しかして、この泥付着防止カバー２９を図３の実線で示すように下方に位置すると、カバー２９，２９の下側面部が噴霧ノズル１９…と左右の前輪３，３との間に位置し、同ノズル１９，１９の下方を覆う。また、泥付着防止カバー２９，２９を、図３の仮想線で示すように上方に回動すると、同カバー２９の下側面部が噴霧ノズル１９…下方の噴霧位置から退避し、ノズル１９の上位前方を覆う。
【００２１】
従来では、乗用管理機１で水田等の防除噴霧作業の後に、サイドブーム１７、１７を機体の左右両側部に収納した状態で圃場内を走行すると、左右の前輪３，３から飛散した泥がサイドブーム１７、１７の噴霧ノズル１９…に付着し、次の防除噴霧作業開始時には噴霧ノズル１９…から泥の除去作業をしないと噴霧作業ができないという不具合があった。
【００２２】
しかし、前記のように構成したので、左右の泥付着防止カバー２９，２９を下方に回動し、同カバー２９，２９の下側面部をサイドブーム１７，１７の噴霧ノズル１９…の下方位置で、左右前輪３，３の上方位置に位置させることにより、左右の前輪３，３から飛散した泥が噴霧ノズル１９に付着するのを防止し、能率的に防除噴霧作業をすることができる。また、前記カバー２９．２９は、サイドブーム１７側に取り付けるものであるから、前記のように噴霧装置５を車体に対して着脱自在に構成する場合は、これと同時に着脱できる。
【００２３】
また、前記泥付着防止カバー２９，２９は、下端部をノズル１９…側に屈曲し、この屈曲部が作業時には下側に向かうので、散布液の浮き上がりを防止するものであるから、散布効率も高めることができる。また更に、ここでは前記泥付着防止カバー２９を、前記運転席８とは反対側に回動して保持する構成としているので、ノズル部の視界性を邪魔することが無く、噴霧状態を確認しながら作業する事ができる。
【００２４】
また前記乗用管理機１の別形態としては、噴霧装置５を車体後部にリンク機構を介して昇降自在に設ける構成であっても良いし、泥付着防止カバー２９，２９をサイドブーム１７の全長に亘り、更にはセンターブーム１６にも備える構成でも良い。
【００２５】
次に図４に基づいて前記サイドブーム受け２８，２８の構成について説明する。
薬液タンク１１の下部横側面には薬液の吐出する切替コック３１を設け、前記防除ポンプ１３から吐出した薬液を切替コック３１を経由して前記センターブーム１６及びサイドブーム１７、１７に供給するように構成している。薬液タンク１１における切替コック３１の上方位置外周部には、鉄板製の支持帯３２を巻き付け、この支持帯３２の後側部にサイドブーム受け２８，２８を着脱自在に取り付けている。
【００２６】
サイドブーム受け２８，２８は、薬液タンク１１の左右両側面に接近して上方に延出されている左右のアーム部２８ａ，２８ａと、左右のアーム部２８ａ，２８ａの上端部に取り付けられている背面視凹状の受部２８ｂ，２８ｂとにより形成され、前記左右アーム部２８ａ，２８ａの下端部を前記支持帯３２の左右両側部にボルトナットで固着し、左右受部２８ａ，２８ａの上端部間を連結ロッド３３で連結している。
【００２７】
尚、ここでは、薬液タンク１１に支持帯３２を巻き付けてサイドブーム受け２８，２８の支持部を構成しているが、薬液タンク１１の支持部相当箇所を肉厚に一体成形し、サイドブーム受け２８，２８を取り付けるように構成しても良い。
次に、図６と図７に基づき前記乗用管理機１に連結する他の作業機の一例として、ロータリカルチ作業機について説明する。
【００２８】
カルチ作業機４３は、左右中間部に、本機から動力の伝達される伝動ケース４４を左右方向中間部に設け、伝動ケース４４の後部に左右方向に沿うようにフレーム４５を設け、このフレーム４５の中央部にセンターロータリ４７ａを取り付け、フレーム４５の左右両側部には左右ロータリ４７ｂ，４７ｂを左右方向に移動自在に設けている。
【００２９】
そして、センターロータリ４７ａ及び左右ロータリ４７ｂ，４７ｂは、ロータリ伝動ケース４８、ロータリ伝動ケース４８の下部に設けた複数の耕耘爪４９…、ロータリ伝動ケース４８の中途部に取り付けた耕耘フレーム５０、耕耘装置４９を被覆する耕耘カバー５１等により構成している。
【００３０】
前記伝動ケース４４には作業伝動軸５２を軸架して、作業伝動軸５２とセンターロータリ４７ａ及び左右ロータリ４７ｂ，４７ｂのロータリ伝動ケース４８，４８の動力入力部とをスプライン嵌合し、作業伝動軸５２からロータリ伝動ケース４８に動力を伝達し、センターロータリ４６及び左右ロータリ４７，４７の耕耘装置４９，４９…に動力を伝達するように構成している。
【００３１】
また前記伝動ケース４４には、ベベルギヤ５５，５６を内装する調節ケース５３を取り付け、調節ケース５３には左右両側部から突出するように左・右調節軸５４，５４を軸架し、調節ハンドル５５と前記べベルギヤ群５６，５６により左右調節軸５４，５４を回転可能に構成し、左右調節軸５４，５４の端部と左・右ロータリ４７，４７に取り付けられている調節パイプ５７，５７とをねじ嵌合して、調節ハンドル５５の操作により左右ロータリ４７，４７をフレーム４５に沿って左右方向に移動調節できるように構成している。
【００３２】
しかして、調節ハンドル５５を正転あるいは逆転することにより、センターロータリ４６を基準にして左・右ロータリ４７，４７の間隔を迅速に調節することができる。また、例えば、実開１９９４−６０３０３号公報のように左・右カルチベータに夫れ夫れ左右方向調節用の調節ハンドルを設けて、センターカルチベータに対して左右カルチの条間調節をするものに比較して構成を簡単化することができる。
【００３３】
次に、前記センターロータリ４６の昇降調節構成について説明する。伝動ケース４４の後部には左右方向に沿うようにフレーム４５を設け、このフレーム４５の中央部にセンターロータリ４６を取り付け、このセンターロータリ４６のみを上下に回動調節できるように構成している。
【００３４】
そして、センターロータリ４６は、ロータリ伝動ケース４８、ロータリ伝動ケース４８の下部に設けた耕耘装置４９、ロータリ伝動ケース４８の中途部に取り付けた耕耘フレーム５０、耕耘装置４９を被覆する耕耘カバー５１により構成されていて、センターロータリ４６のロータリ伝動ケース４８は作業伝動軸５２を中心として上下に回動自在に構成している。
【００３５】
伝動ケース４４のマスト５８とセンターロータリ４６のフレーム４５との間には昇降調節装置５９を設けている。この昇降調節装置５９は次のように構成されている。フレーム５０の後端部に下端部が枢支されている調節ロッド６０、調節ロッド６０の長手方向に沿って多数構成されている調節孔６１，…、調節ロッド６０にに巻付け装着しているスプリング６２、調節孔６１，…に挿通する係止ピン６３，６３、伝動ケース４４の後部に上下回動自在に枢支されている支承アーム６４、支承アーム６４の先端部に左右方向の軸部で軸支されている支持体６５、前記調節ロッド６０を支持する支持体６５の孔部６５ａ、支承アーム６４とマスト５８との間に連結されている伸縮調節装置６６、伸縮調節装置６６を伸縮調節する調節ハンドル６７により構成されている。
【００３６】
しかして、センターロータリ４６でロータリ作業をする場合には、調節ロッド６０における支持体６５の上下両側にスプリング６２、６２を装着し、係止ピン６３，６３でスプリング６２，６２を所定圧力に調節し、ハンドル６７により伸縮調節装置６６を伸長し、センターロータリ４６を下方に回動する。すると、この状態では、ロータリ伝動ケース４８の上下回動を支承アーム６４側の支持体６５の上下両側に位置する調節スプリング６２，６２により規制し、耕耘装置４９を所定高さに弾圧保持しながら耕耘作業をすることができる。
【００３７】
また、センターロータリ４６を上方に回動し、左・右ロータリ４７，４７の二連耕耘作業をする場合には、調節ロッド６０の上端部の調節孔６１に係止ピン６３を係止し、調節ロッド６０における支持体６５の上方位置にスプリング６２，６２を変更装着し、調節ハンドル６７により伸縮調節装置６６を短縮調節し、センターロータリ４６を上方の非作業位置に回動させる。すると、調節ロッド６０における支承アーム６４側の支持体６５の下側にはスプリング６２，６２がないので調節ロッド６０を楽に上方に回動できて、センターロータリ４６を上方位置に回動し、左・右ロータリ４７，４７の二連耕耘作業状態に切り替えることができる。
【００３８】
前記のように構成したので、二連耕耘作業及び三連耕耘作業の切替を迅速に行なうことができる。
【図面の簡単な説明】
【図１】防泥カバー及び噴霧ノズルの一部断面図。
【図２】乗用管理機の全体側面。
【図３】乗用管理機の平面図。
【図４】乗用管理機の前部拡大図。
【図５】薬液タンクの背面図。
【図６】カルチ作業機の側面図。
【図７】カルチ作業機の背面図。
【符号の説明】
１  乗用管理機
２  車体
３  前輪
４  後輪
５  防除噴霧装置
７  ボンネット
８  運転席
９  ステアリングハンドル
１１  薬液タンク
１６  センターブーム
１７  サイドブーム
１９  噴霧ノズル
２０  上下リンクアーム
２９  泥付着防止カバー
【図１】
2004337123.tif 000003
【図２】
2004337123.tif 000004
【図３】
2004337123.tif 000005
【図４】
2004337123.tif 000006
【図５】
2004337123.tif 000007
【図６】
2004337123.tif 000008
【図７】
2004337123.tif 000009